(57)【要約】【課題】  テレビ放送の映像を全画面表示しているときにも各機能の状態を表示して、画面表示を切り替えることなくユーザーに各種情報を認識させることが可能な携帯端末装置を提供する。【解決手段】  テレビ放送を受信可能なテレビ受信部とテレビ受信手段により受信されたテレビ放送の映像を表示部の画面に表示させる表示制御部と、を備えた携帯端末装置において、所定の機能の状態を検出する状態検出手段を備え、前記表示制御部は、テレビ放送の映像を前記表示部の画面全体に表示させる全画面表示状態にて表示可能であり、前記テレビ放送の前記映像が前記全画面表示状態にて表示されているときに、前記状態検出手段にて検出される前記所定の機能の状態を示す情報を前記表示部の画面にオンスクリーン表示する。【選択図】図４
2007228504.tif 000002
【特許請求の範囲】
【請求項１】
表示部と、
テレビ放送を受信可能なテレビ受信部と、
前記テレビ受信手段により受信された前記テレビ放送の映像を前記表示部の画面に表示させる表示制御部と、
を備えた携帯端末装置において、
所定の機能の状態を検出する状態検出手段を備え、
前記表示制御部は、前記テレビ放送の映像を前記表示部の画面全体に表示させる全画面表示状態にて表示可能であり、前記テレビ放送の前記映像が前記全画面表示状態にて表示されているときに、前記状態検出手段にて検出される前記所定の機能の状態を示す情報を前記表示部の画面にオンスクリーン表示する
ことを特徴とする携帯端末装置。
【請求項２】
少なくとも前記表示部及び前記テレビ受信部へ電力を供給する二次電池を有し、
前記状態検出手段は、前記二次電池の電池残量を検出し、
前記表示制御部は、前記全画面表示状態のときに前記状態検出手段にて検出される前記電池残量を示す情報をオンスクリーン表示させる
ことを特徴とする請求項１記載の携帯端末装置。
【請求項３】
前記表示制御部は、前記状態検出手段にて検出される前記電池残量が所定値以下となると前記電池残量を示す情報をオンスクリーン表示させる
ことを特徴とする請求項２記載の携帯端末装置。
【請求項４】
前記状態検出手段は、前記テレビ以外の他機能の起動状態を検出し、
前記表示制御部は、前記全画面表示状態のときに前記状態検出手段にて前記他機能の起動状態が検出されると、前記電池残量を示す情報をオンスクリーン表示させる
ことを特徴とする請求項２又は３に記載の携帯端末装置。
【請求項５】
音声通信とデータ通信との少なくとも一方のための信号を通信用アンテナを介して送受信する通信手段を備え、
前記状態検出手段は、前記通信用アンテナの受信感度を検出し、
前記表示制御部は、前記全画面表示状態のときに前記状態検出手段にて検出される前記受信感度を示す情報をオンスクリーン表示させる
ことを特徴とする請求項１乃至４の何れか１項に記載の携帯端末装置。
【請求項６】
前記表示制御部は、前記状態検出手段にて検出される前記受信感度が所定状態のときに前記受信感度を示す情報をオンスクリーン表示させる
ことを特徴とする請求項５記載の携帯端末装置。
【請求項７】
前記状態検出手段は、前記通信手段での前記音声通信又は前記データ通信の着信を検出し、
前記表示制御部は、前記全画面表示状態のときに前記状態検出手段にて前記音声通信又は前記データ通信の着信が検出されると、前記着信を示す情報と前記受信感度を示す情報をオンスクリーン表示させる
ことを特徴とする請求項５又は６に記載の携帯端末装置。
【請求項８】
予め設定された時刻に報知する報知手段を備え、
前記状態検出手段は、前記予め設定された時刻への到達に伴い前記報知手段による報知が行われる状態を検出し、
前記表示制御部は、前記全画面表示状態のときに前記状態検出手段にて前記報知が行われる状態が検出されると、報知情報をオンスクリーン表示させる
ことを特徴とする請求項１乃至７の何れか１項に記載の携帯端末装置。
【請求項９】
前記表示制御部は、前記テレビ放送の映像を前記表示部の画面の一部にのみ表示させる分割表示状態にて表示可能であり、前記テレビ放送の前記映像が前記分割表示状態にて表示されているときに、前記表示部の画面の残部に前記状態検出手段にて検出される前記所定の機能の状態を示す情報を常時表示する
ことを特徴とする請求項１乃至８の何れか１項に記載の携帯端末装置。
【請求項１０】
表示部と、
テレビ放送を受信可能なテレビ受信部と、
前記テレビ受信手段により受信された前記テレビ放送の映像を前記表示部の画面に表示させる表示制御部と、
を備えて構成される携帯端末装置の表示方法において、
所定の機能の状態を検出し、
前記表示制御部により、前記テレビ放送の映像が前記表示部の画面全体に表示させる全画面表示状態にて表示されているときに、検出される前記所定の機能の状態を示す情報を前記表示部の画面にオンスクリーン表示する
ことを特徴とする携帯端末装置の表示方法。
【発明の詳細な説明】
【技術分野】
【０００１】
この発明は、テレビ放送の映像を表示可能な携帯端末装置及びその表示方法に関する。
【背景技術】
【０００２】
近年、携帯電話機やＰＤＡなどの携帯端末装置は、通信用アンテナを介して基地局装置や他の携帯端末装置との間で音声通信やデータ通信を行うとともに、音声通信時における発着信情報やデータ通信時におけるメール本文などのデータを含む各種情報を液晶パネルなどの表示部の画面上に表示するように構成されている。また、この通信手段のほかに、テレビ用アンテナとテレビチューナーとを組み込んで、このテレビ用アンテナ及びテレビチューナーによって受信されたテレビ放送の映像を液晶パネルに表示するように構成されたものが知られている。
【０００３】
そして、このようにテレビ放送を受信してテレビ映像を表示可能な携帯端末装置においては、テレビ放送を受信しているときに、液晶パネルなどの表示部の表示画面を複数に分割して、その１つの分割エリアにテレビ映像を表示する分割表示状態にてテレビ映像を表示するように構成されえている。また、他の分割エリアには、その他の情報を表示するように構成されている。例えば、その他の情報として、月日情報、時刻情報、バッテリ残量や通信用アンテナの受信感度などの各種情報が表示されている。
【０００４】
また、表示部にテレビ放送の映像を表示しているときに、通信手段にてメールなどの着信が行われると、その着信情報を表示画面に表示するよう構成されたものがある。（特許文献１参照）
また、テレビ放送の映像を表示する場合に、表示画面を分割せずに、画面一面で表示させる全画面表示状態にてテレビ放送の映像を表示させるようにした構成も知られている。
【特許文献１】特開２００５−１０９８１９号公報
【発明の開示】
【発明が解決しようとする課題】
【０００５】
しかし、テレビ放送の映像を表示部に全画面表示させる場合、分割表示状態のときに他の分割エリアに表示されていた各種情報は表示されない。よって、テレビ放送の映像を全画面表示状態で表示している場合に、これら各種情報を確認するには、表示設定を全画面表示から分割画面表示へ切り替えるための表示切り替え操作を行う必要があり、これら情報を表示装置の画面を通じて迅速に確認することが出来ずに、使い勝手が悪いといった問題があった。
【０００６】
そこで、この発明は、テレビ放送の映像を全画面表示しているときに各種情報を好適に表示可能な携帯端末装置及びその表示方法を提供しようとするものである。
【課題を解決するための手段】
【０００７】
上記の課題を解決するために、この出願の請求項１に記載の発明は、表示部と、テレビ放送を受信可能なテレビ受信部と、前記テレビ受信手段により受信された前記テレビ放送の映像を前記表示部の画面に表示させる表示制御部と、を備えた携帯端末装置において、所定の機能の状態を検出する状態検出手段を備え、前記表示制御部は、前記テレビ放送の映像を前記表示部の画面全体に表示させる全画面表示状態にて表示可能であり、前記テレビ放送の前記映像が前記全画面表示状態にて表示されているときに、前記状態検出手段にて検出される前記所定の機能の状態を示す情報を前記表示部の画面にオンスクリーン表示することを特徴とする。
【０００８】
請求項２に記載の発明は、請求項１に記載の携帯端末装置において、少なくとも前記表示部及び前記テレビ受信部へ電力を供給する二次電池を有し、前記状態検出手段は、前記二次電池の電池残量を検出し、前記表示制御部は、前記全画面表示状態のときに前記状態検出手段にて検出される前記電池残量を示す情報をオンスクリーン表示させることを特徴とする。
【０００９】
請求項３に記載の発明は、請求項２に記載の携帯端末装置において、前記表示制御部は、前記状態検出手段にて検出される前記電池残量が所定値以下となると前記電池残量を示す情報をオンスクリーン表示させることを特徴とする。
【００１０】
請求項４に記載の発明は、請求項２又は３に記載の携帯端末装置において、前記状態検出手段は、前記テレビ以外の他機能の起動状態を検出し、前記表示制御部は、前記全画面表示状態のときに前記状態検出手段にて前記他機能の起動状態が検出されると、前記電池残量を示す情報をオンスクリーン表示させることを特徴とする。
【００１１】
請求項５に記載の発明は、請求項１乃至４の何れか１項に記載の携帯端末装置において、音声通信とデータ通信との少なくとも一方のための信号を通信用アンテナを介して送受信する通信手段を備え、前記状態検出手段は、前記通信用アンテナの受信感度を検出し、前記表示制御部は、前記全画面表示状態のときに前記状態検出手段にて検出される前記受信感度を示す情報をオンスクリーン表示させることを特徴とする。
【００１２】
請求項６に記載の発明は、請求項５に記載の携帯端末装置において、前記表示制御部は、前記状態検出手段にて検出される前記受信感度が所定状態のときに前記受信感度を示す情報をオンスクリーン表示させることを特徴とする。
【００１３】
請求項７に記載の発明は、請求項５又は６に記載の携帯端末装置において、前記状態検出手段は、前記通信手段での前記音声通信又は前記データ通信の着信を検出し、前記表示制御部は、前記全画面表示状態のときに前記状態検出手段にて前記音声通信又は前記データ通信の着信が検出されると、前記着信を示す情報と前記受信感度を示す情報をオンスクリーン表示させることを特徴とする。
【００１４】
請求項８に記載の発明は、請求項１乃至７の何れか１項に記載の携帯端末装置において、予め設定された時刻に報知する報知手段を備え、前記状態検出手段は、前記予め設定された時刻への到達に伴い前記報知手段による報知が行われる状態を検出し、前記表示制御部は、前記全画面表示状態のときに前記状態検出手段にて前記報知が行われる状態が検出されると、報知情報をオンスクリーン表示させることを特徴とする。
【００１５】
請求項９に記載の発明は、請求項１乃至８の何れか１項に記載の携帯端末装置において、前記表示制御部は、前記テレビ放送の映像を前記表示部の画面の一部にのみ表示させる分割表示状態にて表示可能であり、前記テレビ放送の前記映像が前記分割表示状態にて表示されているときに、前記表示部の画面の残部に前記状態検出手段にて検出される前記所定の機能の状態を示す情報を常時表示することを特徴とする。
【００１６】
また、上記の課題を解決するために、この出願の請求項１０に記載の発明は、表示部と、テレビ放送を受信可能なテレビ受信部と、前記テレビ受信手段により受信された前記テレビ放送の映像を前記表示部の画面に表示させる表示制御部と、を備えて構成される携帯端末装置の表示方法において、所定の機能の状態を検出し、前記表示制御部により、前記テレビ放送の映像が前記表示部の画面全体に表示させる全画面表示状態にて表示されているときに、検出される前記所定の機能の状態を示す情報を前記表示部の画面にオンスクリーン表示することを特徴とする。
【発明の効果】
【００１７】
この発明によれば、テレビ放送の映像が表示部の画面全体に表示されているときでも、所定の機能の状態を示す情報がオンスクリーンで表示されるので、テレビ放送の映像表示を中断させることなく当該情報を迅速に確認することができる。
【発明を実施するための最良の形態】
【００１８】
以下、この発明の一実施形態を図面に基づいて説明する。
【００１９】
図１〜図４は、この発明にかかる携帯端末装置の一例である携帯電話機の外観図である。この携帯電話機は、第１の筐体１と、第２の筐体２と、これら２つの筐体１，２を厚み方向に重ね合わせ可能に端部相互を連結するヒンジ部３を備えている。ヒンジ部３は、第１の筐体１の端部に設けられた第１回転軸４と、第１の筐体１に対して第１回転軸４を中心にして重ね合わせ方向に回動可能に連結された中間連結体５と、この中間連結体５に第２の筐体２を表裏反転方向に回動可能に連結する第２回転軸６を備えている。第１回転軸４と第２回転軸６は相互に直交し、第１の筐体１と第２の筐体２は、第１回転軸４を中心に重ね合わせ方向に回動して開閉可能に連結されており、第２の筐体２は、第１の筐体１に対して表裏反転方向の回動が可能となっている。
【００２０】
第１の筐体１の上面１ａ（第２の筐体２との重ね合わせ面）には、通話キー、終話キー、数字キー等の押圧操作可能な複数の操作キー７が設けられている。また、第１の筐体１のヒンジ部３と逆側の端面には充電器８の充電接続コネクタ８ａを接続するための充電ポート９が設けられ、第１の筐体１の内部には充電による繰り返し使用が可能であって、後述する液晶ディスプレイ（表示部）やテレビチューナー（テレビ受信部）などの携帯電話機の各部へ電力を供給するバッテリ（二次電池）１０が内蔵されている。第２の筐体２の表裏の一方の面１１には、液晶ディスプレイ等の表示部１２が設けられている。
【００２１】
尚、図２は、第１の筐体１と第２の筐体２を、第１回転軸４を中心に回動して相互に重ね合わせた状態であって、第２回転軸６を中心とする反転操作によって第２の筐体２の一方の面１１が外側に向けられている状態を示している。
【００２２】
第１の筐体１と第２の筐体２には、磁石と磁気抵抗素子を対にして構成したＭＲセンサ（開閉検出手段，表裏検出手段）１５ａ，１５ｂ，１５ｃ，１５ｄ（発電状態検出手段）が取り付けられ、このＭＲセンサ１５ａ，１５ｂ，１５ｃ，１５ｄによって筐体１，２の開閉状態を検出し得るようになっている。具体的には、これら磁石１５ｃ，１５ｄと磁気抵抗素子１５ａ，１５ｂとの反応を検出して両筐体１，２の開閉状態及び第２の筐体２の表裏状態を検出する。また、第１の筐体１のヒンジ部３と逆側寄り上面には、上方に突出する一対の突起３０が設けられている。この突起３０は、第１の筐体１に第２の筐体２を重ね合わせた閉状態であるときに、第２の筐体の面１１、１３上の表示部１２から外れた位置に当接するようになっている。この突起３０は当接抑制部材を構成するものであり、緩衝作用を有する軟質材料によって形成するようにしても良い。なお、これら開閉状態及び表裏状態の検出については、当該構成に限られるものではなく、それぞれの状態を検出できるものであればよい。
【００２３】
図３は、この携帯電話機の概略構成を示すものである。第１の筐体１の内部には各種機能の制御等を行う制御部１６が設けられており、同図に示すように、この制御部１６には、操作キー７のキー操作信号を処理するキー入力回路１７と、表示部１２の表示信号を処理する表示回路１８と、スピーカ１９（報知手段）やマイクロフォン２０等の音声信号を処理する音声処理回路２１と、通信用アンテナ２２を通した通信のための通信回路２３と、内蔵カメラを制御するためのカメラ制御回路２４が接続されている。また、制御部１６はプログラムや各種の値等が記憶される記憶部２５に接続されると共に、バッテリ１０に接続されて装置内の電源制御を行う電源制御回路２６（電力供給手段）に接続され、さらに、ＭＲセンサからは筐体１，２の開閉状態や閉状態での第２の筐体２の表裏状態に応じた信号が入力されるようになっている。また、テレビ用アンテナを通じたテレビ放送の映像を受信するためのテレビチューナーなどのテレビ受信部２８が接続されている。
【００２４】
操作キー７に設けられている図示しないテレビ起動用操作キーを操作すると、キー入力部１７はその操作信号を入力して制御部１６にテレビ起動信号を出力する。制御部１６は、キー入力部１７からのテレビ起動信号が入力されると、テレビチューナーであるテレビ受信部２８を起動する。そして、テレビ受信部２８は、テレビ用アンテナ２７にて受信されたテレビ放送信号を入力して制御部１６に出力する。制御部１６は、テレビ放送信号を入力すると、画像信号と音声信号とを抽出して、画像信号を表示回路１８に出力するとともに音声信号を音声処理回路２１に出力する。表示回路１８は、画像信号を入力すると、この画像信号に基づくテレビ放送の映像を表示部１２に表示させる。また音声処理回路２１は、音声信号を入力すると、操作キー７に設定されている図示しない音声調整キーにより設定されている音量に基づき、スピーカー１９からテレビ放送の音声を出力させる。なお、テレビが起動しているときに、テレビ起動用操作キーを再度操作すると、テレビＯＦＦと判断してテレビ受信部２８の起動を解除する。
【００２５】
そして、本実施形態では、テレビ放送の映像表示形態として、表示部１２である液晶パネルの画面を複数に分割して、その画面の分割された一部分にテレビ映像を表示させる分割表示状態と、液晶パネルの画面全体にテレビ映像を表示させる全画面表示状態との何れかにより表示する構成となっている。これらの表示形態は、操作キー７の所定の切替操作キーを操作することにより設定又は切替を行うことができるとともに、携帯電話機の第２の筐体２の状態に応じても自動的に切り替えられるように構成されている。具体的には、第１の筐体１と第２の筐体２とが開状態、即ち第２の筐体２が第１の筐体１に対して第１回転軸４を中心として離れる方向に回動され、第１の筐体１の上面１ａと第２の筐体２の表裏の一方の面１１とが互いに露出した状態であるときには分割表示状態となり、第１の筐体１と第２の筐体２とが閉状態、即ち第１の筐体１と第２の筐体２を第１回転軸４を中心に回動して相互に重ね合わせた状態であって、第２回転軸６を中心とする反転操作によって第２の筐体２の一方の面１１が外側に向けられている状態であるときには全画面表示状態となるように設定される。
【００２６】
図４は、液晶パネルでのテレビ映像の表示形態を示しており、図４（ａ）に分割表示状態の表示形態の一例を、図４（ｂ）に全画面表示状態の表示形態の一例を示す。
【００２７】
図４（ａ）に示されるように、分割表示状態では、液晶パネル１２の表示画面が、長手方向に分割された４つの表示エリア１２ａ，１２ｂ，１２ｃ，１２ｄにより構成される。第１表示エリア１２ａには、バッテリ１０の電池容量を示す電池アイコンや通信用アンテナ２２の受信感度を示すアンテナアイコンや日時情報が表示されている。なお、電池アイコンで示されるバッテリ１０の電池容量は、電源回路２６がバッテリ１０の電池電圧を検出して制御部１６に出力し、制御部１６が入力された電池電圧に基づきバッテリ１の電池容量のレベルを４段階で判定するとともに、判定した電池容量のレベルに対応した電池アイコンを表示部１２に表示させる。また、アンテナアイコンで示される通信用アンテナ２２の受信感度は、通信回路２３が通信用アンテナ２２を介して受信する信号の受信強度などを測定して測定結果を制御部１６に出力し、制御部１６がその受信強度に基づき受信レベルを４段階で判定する。そして、制御部１６は、判定した受信レベルに対応したアンテナアイコンを表示部１２に表示させる。また、日時情報は、制御部１６が、図示しない計時手段から日時情報を取得して、この日時情報を表示部１２に表示させるように構成されている。なお、これら電池アイコンやアンテナアイコンや日時情報の表示処理については、従来の携帯電話機における表示処理と同じであるため詳細な説明は省略する。
【００２８】
また、第２表示エリア１２ｂには、テレビ受信部２８にて受信されたテレビ放送の映像が表示される。また、第３表示エリア１２ｃには、テレビ放送の受信チャンネル、受信エリア情報、音量情報などが表示される。受信チャンネルは、操作キー７の操作により選択されたチャンネルを示し、受信エリア情報は図示しないＧＰＳ受信機などにより取得された携帯電話機の位置情報に基づき判定される受信エリアを示し、音量情報は操作キー７により調整された音量に基づくボリューム音量を示している。また、第４表示エリア１２ｄには、操作キー７の図示しないソフトキーによって選択可能なメニュー項目が表示され、「録画」項目に対応するソフトキーが操作されると、受信されているテレビ放送の映像が記憶部２５の所定のメモリ部に録画される。「メニュー」項目に対応するソフトキーが操作されると、各種設定を行うためのメニュー画面が表示されて各種設定を行うことができる。「全画面」項目に対応するソフトキーが操作されると、分割表示状態から全画面表示状態への表示切替動作が行われて、テレビ放送の映像が全画面表示される。 
なお、第３表示エリア１２ｃには、通信回路２３にて音声通信やメール通信などの着信が行われると、この着信情報が表示されるように構成されている。
【００２９】
図４（ｂ）に示されるように、全画面表示状態では、表示パネルの表示画面の長手方向が水平方向となるようにして液晶パネルの表示画面全体にテレビ放送の映像が表示される。そして、画面の左上には第１表示エリアに表示される電池アイコンとアンテナアイコンがオンスクリーン表示されるピクト表示部１２ｅ、同右上には第３表示エリア１２ｃ同様に通信回路２３にて着信が行われた際の着信情報やスケジュール機能によるスケジュールの報知情報などがオンスクリーン表示される情報表示部１２ｆ、同右下には第３表示エリア１２ｃに表示される受信チャンネルや音量情報や受信エリア情報などがオンスクリーン表示されるテレビ機能表示部１２ｇが設けられており、各表示部１２ｅ〜１２ｇには、必要に応じて各種情報がオンスクリーン表示されるように構成されている。
【００３０】
次に、本実施形態における携帯電話機でのテレビ表示処理について説明する。操作キー７のテレビ起動キーが操作されると、テレビ受信部２８が起動されてテレビ放送の受信が開始され、図５に示すテレビ映像の表示処理がおこなわれる。
【００３１】
テレビ機能が起動されると、ステップＳ１にて、テレビ映像の表示形態として分割表示状態が選択されているかを判定し、分割表示状態が選択されていると判定すると、ステップＳ２に進み、分割表示処理が実施され、図４（ａ）に示すように分割された表示画面の第２表示エリア１２ｂにテレビ放送の映像が表示される。その他の表示エリア１２ａ，１２ｃ，１２ｄには各種情報が常時表示される。その後、ステップＳ４に進み、操作キー７のテレビ機能停止操作などによりテレビ機能が停止されたか否かを判定し、テレビ機能が停止されたと判定されるとテレビ映像表示処理を終了し、停止されていないと判定されるとステップＳ１に戻り、同様の処理を繰り返す。
【００３２】
そして、ステップＳ２にて分割表示状態が選択されていないと判定されると、ステップＳ３に進み全画面表示処理を実施する。この全画面表示処理では、図４（ｂ）に示されるようにテレビ放送の映像が表示画面全体に表示される。その後、ステップＳ４に進む。
【００３３】
このステップＳ３における全画面表示処理では、テレビ映像を全画面表示するとともに、図６に示される全画面表示処理が実施される。
【００３４】
図６に示す全画面表示処理では、先ずステップＳ１０にて各種情報を取得する。ここでは、バッテリ１の電池残量（電池電圧）、通信用アンテナの受信感度、通信回路２３での着信状態、携帯電話機のテレビ機能以外の他機能の起動状態などを検出して、これらの検出結果を取得する。次に、ステップＳ１１に進み、ステップＳ１０で取得された電池残量（バッテリ１０の電池電圧Ｖ）が所定残量（所定電圧Ｖ０）よりも大きいか否かが判定される。電池残量が所定残量よりも大きく（Ｖ＞Ｖ０）、このままテレビ放送を受信してテレビ映像の表示を継続しても電池容量的に問題がないと判定されるとステップＳ１３に進み、電池残量が所定残量以下であり（Ｖ≦Ｖ０）、このままテレビ機能を起動し続けると電池残量が規定量以下となって携帯電話機の他の機能に影響を及ぼす虞があると判定されると、ステップＳ１４に進み、図７（ａ）に示されるように液晶パネル１２の表示画面のピクト表示部１２ｅに電池アイコンをオンスクリーン状態で表示して、ステップＳ１３に進む。このオンスクリーン状態での表示は、表示されているテレビ映像の上に各種情報が重ねて表示される状態となり、ピクト表示部１２ｅの他の部分にはテレビ映像が表示される。
【００３５】
このように、電池残量が所定残量となると、全画面表示状態において電池残量を示す情報として電池アイコンがオンスクリーン表示されるので、ユーザーに違和感を与えることなく、ユーザーに充電の必要性を認識させることができる。
【００３６】
次に、ステップＳ１３では、ステップＳ１０で取得された通信用アンテナ２２の受信感度が「良」であるか否かが判定され、この受信感度が「良」であると判定される場合、具体的には、第１表示エリア１２ａに表示されるアンテナアイコンの表示形態を決定する際に判定される４段階の受信レベルに基づき、この受信レベルが上位２段階である場合には、テレビ放送の受信時にも通信回路２３による着信や発信が良好に実施可能であると判定し、ステップＳ１５に進む。このステップＳ１３にて、受信感度が「良」でない、具体的には、同受信レベルが下位２段階である場合には、受信感度が「良」でないと判定されて、ステップＳ１４に進む。
【００３７】
ステップＳ１４では、ユーザーに通信用アンテナ２２における受信感度が「良」でないことを報知するために、図７（ｂ）に示されるように、第１表示エリア１２ａに表示されるアンテナアイコンをピクト表示部１２ｅにオンスクリーン状態で表示して、ステップＳ１５に進む。この場合にも、ピクト表示部１２ｅの他の部分には、テレビ映像が表示される。なお、ピクト表示部１２ｅには、電池アイコンとアンテナアイコンとを同時に表示することが可能である。
【００３８】
このように、受信感度が所定感度以下となると、全画面表示状態において受信感度を示す情報としてアンテナアイコンがオンスクリーン表示されるので、ユーザーに違和感を与えることなく、ユーザーに通信不良状態又は通信不能状態であることを認識させることができる。これにより、ユーザーは携帯電話機を移動させるなどにより通信可能な状況を維持させることが可能となる。
【００３９】
ステップＳ１５では、ステップＳ１０で取得された通信回路２３での着信情報に基づき、携帯電話機が着信状態にあるか否かを判定する。携帯電話機が着信状態にないと判定されるとステップＳ２１に進み、着信状態であると判定されるとステップＳ１６に進む。ステップＳ１６では、ステップＳ１０で取得された着信情報に基づき、通信回路２３で着信処理されている音声通信の発信者から番号が通知されているか否かを判定し、「番号通知」有りと判定されるとステップＳ１７に進み、通知された番号がアドレス帳に登録されているか否かを判定する。ステップＳ１７にて、発信者の番号がアドレス帳に登録されていると判定された場合には、ステップＳ１８に進み、図８（ａ）に示されるように、表示画面の情報表示部１２ｆに着信中であることをユーザーに報知するための着信情報「着信中」及びアドレス帳に登録されている登録者情報「山田  太郎」がオンスクリーン状態にて表示される。
【００４０】
ステップＳ１７にて、発信者から通知された番号がアドレス帳に登録されていないと判定されると、ステップＳ１９に進み、表示画面の情報表示部１２ｆに着信中であることをユーザーに報知するための着信情報「着信中」及び発信者から通知された番号情報がオンスクリーン状態にて表示される。また、ステップＳ１６にて、発信者から番号が通知されていないと判定されると、ステップＳ２０に進み、表示画面の情報表示部１２ｆに着信中であることをユーザーに報知するための着信情報「着信中」のみがオンスクリーン状態にて表示される。なお、ここでは音声通信の着信についてのみ説明したが、メール通信などのデータ通信の着信中にも、メール着信（データ通信の着信）があったことをユーザーに報知するために、同様に情報表示部１２ｆにメールの着信があったことをユーザーに報知するためのメール着信情報「着信メールあり」及びメール発信者のメールアドレス（メールアドレスがアドレス帳に登録されている場合には登録者名）がオンスクリーン状態にて表示される。
【００４１】
なお、ステップＳ１９，２０，２１において表示画面の情報表示部１２ｆに着信情報を表示する際には、図８（ａ）に示されるように、ピクト表示部１２ｅに受信感度情報としてのアンテナアイコンを表示するようにしてもよい。この場合には、ステップＳ１３での判定結果に関係なく受信感度が着信情報と同時に表示されるので、表示される受信感度に応じて着信への対応を迅速に行うことができる。例えば、着信情報と同時に受信感度が「良」であることを示す受信感度情報が表示された場合には、良好な通信が可能であることを認識でき、着信に応答したり、着信メールへの返信をすぐに行うことができる。反対に着信情報と同時に受信感度が「可」（例えば、４段階の受信感度レベルの場合、上位から３番目の受信感度レベル）であることを示す受信感度情報が表示された場合には、報知された着信に応答する際には受信感度が「良」となる場所へ移動したほうが好ましいことを認識できる。
【００４２】
なお、着信情報としては、音声通信やメールなどのデータ通信以外にも、基地局を介してコンテンツサーバーからプッシュ型配信されるコンテンツ情報を着信した場合にも、この着信情報及びコンテンツ情報を情報表示部１２ｆにオンスクリーン状態で表示させるようにすればよい。
【００４３】
ステップＳ１９，２０，２１によって各種情報が表示されると、ステップＳ２１に進み、テレビ機能以外の機能が起動されたか否かを判定し、他の機能が起動されたと判定されるとステップＳ２２に進む。ステップＳ２２では、起動が検出された他の機能の起動状態に関する情報を表示画面の情報表示部１２ｆに表示する。ここで、他の機能とは、例えばスケジュール機能やアラーム機能であり、予め設定された時刻に到達すると、これら機能が自動的に起動されて、表示部１２での表示報知やスピーカー１９からの音声報知などにより、スケジュール情報やアラーム情報を報知するものである。
【００４４】
そして、スケジュール機能やアラーム機能において予め設定された時刻に到達して、これら機能が起動されると、この機能情報がステップＳ１０で取得されてステップＳ２１からステップＳ２２へと進み、スケジュール機能の起動時には図８（ｂ）に示されるように予め設定されている予定時刻「１９：００  予定」（又は現在の時刻）とともにスケジュール情報「待ち合わせ」が表示画面の情報表示部１２ｆに表示され、アラーム機能の起動時には予め設定されているアラーム時刻「０７：００  アラーム」と現在の時刻が表示画面の情報表示部１２ｆに表示される。
【００４５】
そして、ステップＳ２２では、機能情報を表示画面の情報表示部１２ｆに表示させるとともに、ピクト表示部１２ｅに電池残量情報としての電池アイコンを表示させる。このように、機能情報の表示により他の機能の起動を認識することができるとともに、電池残量情報の表示により他の機能の起動時の電池残量を確認することができ、その後のバッテリ１０の充電の必要性を好適に認識することができる。例えば、スケジュール機能の起動によりスケジュール情報が表示された場合、この表示されたスケジュール情報に対して電池残量が十分か否かを認識できる。
【００４６】
そして、ステップＳ２１にて、他の機能が起動されていないと判定された場合や、ステップＳ２２で機能情報及び電池残量情報の表示が行われた後には、リターンされて、ステップＳ１０以降の処理が繰り返し実施される。
【００４７】
なお、液晶パネル１２の表示画面上のテレビ機能表示部１２ｇには、分割表示状態での第３表示エリア１２ｃに表示される受信チャンネルや音量情報や受信エリア情報などが表示されるが、これら情報は、チャンネルの変更操作や音量の変更操作が行われたり移動に伴う受信エリアが変更となった場合に、その変更があった情報を所定時間だけオンスクリーン状態で表示されるように構成されている。
【００４８】
以上のように、本実施形態の携帯電話機は、テレビ放送を受信して、受信したテレビ放送の映像を液晶パネルに表示させる際に、分割された表示画面の一部にテレビ映像を表示させる分割表示状態と表示画面の全画面に表示させる全画面表示状態との何れかにて表示させることができるとともに、この全画面表示状態のときには、所定機能の情報を画面上にオンスクリーン状態で表示させることができる。このように、テレビ映像を全画面表示させた状態で表示情報をオンスクリーン状態で表示することにより、画面全体をテレビ映像の表示に有効利用しつつ必要な情報を好適に表示させることができる。特に、バッテリ１０の電池残量情報を表示させることにより、充電の必要性を好適に認識させることができ、通信用アンテナ２２の受信感度情報を表示させることにより、受信状態を好適に認識させることができる。
【００４９】
さらには、これら情報に関する状態が良好な状態であるときには表示させないことにより、テレビ映像を好適に全画面表示させることができるとともに、良好でない状態のときに表示することにより、ユーザーに状態認識させるとともに警告的に報知させることができる。
【００５０】
また、着信情報などのその他の機能が起動した際に、その起動した機能に関する情報を表示するようにしたので、ユーザーはテレビ映像とともに各機能情報を確認することができる。特に、音声通信やメールなどのデータ通信における着信情報を表示するので、テレビ映像を全画面表示している際にも、着信に好適に対応することができる。特に、着信があった場合には、テレビ映像の表示を停止して着信情報を画面に表示させることも考えられるが、テレビ映像を表示しているときにユーザーが意図していない情報のためにテレビ映像の表示を停止すると、ユーザーに違和感を与えてしまうが、本実施形態では、テレビ映像の表示を停止することなく着信情報を表示するので、ユーザーに違和感を与えることなく着信情報を報知することができる。
【００５１】
また、これら機能情報を表示させる際には、その機能に関連する携帯電話機の状態情報も合わせて表示するようにしたので、その機能情報を確認できるとともに、その表示された機能情報への対応を状態情報を考慮して行うことが可能となる。詳細には、音声通信やメール通信などの着信があった場合には、その通信に用いられる通信用アンテナ２２の受信感度情報を表示させるので、着信に対する応答の可否などを認識できる。また、予め設定されていた時刻への到達による機能情報を表示する際には、電池残量情報を表示するので、その後の充電必要性を好適に認識させることができる。
【００５２】
特に、本実施形態では、テレビ映像を全画面表示させている場合であっても、必要に応じて各種情報をオンスクリーン状態で表示させるので、ユーザーはテレビ映像を全画面表示で視聴しながら各種情報を確認することができ、各種情報を確認するためにテレビ機能を停止させるなどして表示形態を切り替える必要がなく、ユーザーの煩わしさを軽減できるとともに、ユーザーに迅速に報知することができる。
【００５３】
尚、この発明は上記の実施形態に限定されるものではなく、その要旨を逸脱しない範囲で種々の設計変更が可能である。
【００５４】
例えば、上述した実施形態では、スケジュール情報やアラーム情報もオンスクリーン状態で表示させる構成としたが、これら情報はユーザーが意図している情報であり、これらの情報を表示させる際には、テレビ映像の表示を一時停止させて、これら情報を表示したり、分割表示状態に自動切換えて第３表示エリア１２ｃに表示させるように構成してもよい。
【００５５】
また、全画面表示状態にてテレビ映像を表示しているときに、これら情報をオンスクリーンで表示させる設定とするか、又はテレビ映像の表示を優先して各種情報は表示させない設定とするか、又は全画面表示状態でも各種情報を常時オンスクリーン状態で表示させる設定とするかを、操作キー７による設定操作によってユーザーが任意に設定することが可能に構成されている。
【００５６】
また、上述した実施形態では、全画面表示状態のときに画面上にオンスクリーン表示される機能状態を示す情報として、電池残量、通信用アンテナの受信感度、通信回路での着信状態、スケジュール機能やアラーム機能のように他機能の起動状態を示す情報を示したが、これら情報以外の情報であってもよい。
【図面の簡単な説明】
【００５７】
【図１】本発明の一実施形態を示すものであり、開いた状態の携帯電話機の平面図。
【図２】同実施形態を示すものであり、表示部を上に向けて折り畳んだ携帯電話機の平面図。
【図３】同実施形態の携帯電話機の概略構成図。
【図４】同実施形態の表示部でテレビ映像を表示させる表示形態を示す画面構成図。
【図５】同実施形態の制御の流れを示すフローチャート。
【図６】同実施形態の制御の流れを示すフローチャート。
【図７】同実施形態のテレビ映像表示中の表示部の画面を示す図。
【図８】同実施形態のテレビ映像表示中の表示部の画面を示す図。
【符号の説明】
【００５８】
１…第１の筐体（筐体）
２…第２の筐体（筐体）
３…ヒンジ部
４…第１回転軸
６…第２回転軸
１０…バッテリ（二次電池）
１２…表示部（液晶パネル）
１６…制御部（表示制御部、状態検出部）
２２…通信用アンテナ
２３…通信回路（通信手段）
２７…テレビ用アンテナ
２８…テレビ受信部
【図１】
2007228504.tif 000003
【図２】
2007228504.tif 000004
【図３】
2007228504.tif 000005
【図４】
2007228504.tif 000006
【図５】
2007228504.tif 000007
【図６】
2007228504.tif 000008
【図７】
2007228504.tif 000009
【図８】
2007228504.tif 000010